(57)【特許請求の範囲】
【請求項１】
現用側又は予備側の受け側装置を有し、ＡＴＭセルを受信するＡＴＭセル通信システムにおいて、
ＡＴＭセルのヘッダに受け側装置の固有番号、現用番号又は予備番号を付加して受け側装置に送信する送り側装置と、
複数の受け側装置の各々で固有番号が格納される固有番号格納部と、
複数の前記受け側装置の１つを現用側の受け側装置と識別する現用番号が格納され、他の受け側装置に予備側の受け側装置と識別する予備番号が格納され、さらに、現用側の受け側装置の現用番号と予備側の受け側装置の予備番号が切り替え可能である現用・予備番号格納部と、
前記送り側装置から送信されたＡＴＭセルのヘッダに付加される固有番号と前記固有番号格納部に格納されている固有番号を照合する固有番号照合部と、
前記送り側装置から送信されたＡＴＭセルのヘッダに付加される現用番号、予備番号と前記現用・予備番号格納部に格納されている現用番号、予備番号を照合する現用・予備照合部と、
前記固有番号照合部で照合された固有番号、前記現用・予備照合部で照合された現用番号、予備番号が格納される受け側装置でＡＴＭセルを取り込み、ＡＴＭセルの分割、取り込み処理を行うＳＡＲ処理部とを備えることを特徴とするＡＴＭセル通信システム。
【請求項２】
前記受け側装置と前記送り側装置の間にＡＴＭスイッチが設けられ、前記ＡＴＭスイッチでは前記送り側装置によりＡＴＭセルのヘッダに付加された前記固有番号、前記現用番号、前記予備番号であるＶＣＩ番号により前記ＡＴＭセルはルーティグされ、前記受け側装置に送信されることを特徴とする、請求項１に記載のＡＴＭセル通信システム。
【請求項３】
前記ＳＡＲ処理部は、前記現用・予備照合部で照合された現用番号である場合、前記固有番号照合部で照合された固有番号の一致、不一致にかかわらず、該当する現用番号の受け側装置がＡＴＭセルを取り込むことを特徴とする、請求項１に記載のＡＴＭセル通信システム。
【請求項４】
前記ＳＡＲ処理部は、前記現用・予備照合部で照合された現用番号が格納される受け側装置、前記現用・予備照合部で照合された予備番号が格納される受け側装置の双方でＡＴＭセルを取り込むことを特徴とする、請求項１に記載のＡＴＭセル通信システム。
【請求項５】
前記現用・予備照合部は、前記受け側装置に接続されるＡＴＭバスがＵｔｏｐｉａ  ｌｅｖｅｌ２である場合、予め割り振られたＴＸＡＤＤＲの番号からＡＴＭセルの送信が前記受け側装置のうち現用側、予備側のいずれかへの送信であるかを照合することを特徴とする、請求項１に記載のＡＴＭセル通信システム。
【請求項６】
現用側又は予備側の受け側装置を有し、ＡＴＭセルを受信するＡＴＭセル通信方法において、
ＡＴＭセルのヘッダに受け側装置の固有番号、現用番号又は予備番号を付加して受け側装置に送信する工程と、
複数の受け側装置の各々で固有番号を格納する工程と、
複数の前記受け側装置の１つを現用側の受け側装置と識別する現用番号を格納し、他の受け側装置に予備側の受け側装置と識別する予備番号を格納する工程と、
現用側の受け側装置の現用番号と予備側の受け側装置の予備番号を切り替える工程と、
送信されたＡＴＭセルのヘッダに付加される固有番号と格納されている固有番号を照合する工程と、
送信されたＡＴＭセルのヘッダに付加される現用番号、予備番号と格納されている現用番号、予備番号を照合する工程と、
照合された固有番号、照合された現用番号、予備番号が格納される受け側装置でＡＴＭセルを取り込み、ＡＴＭセルの分割、取り込み処理を行う工程とを備えることを特徴とするＡＴＭセル通信方法。
【請求項７】
さらに、前記受け側装置と前記送り側装置の間に位置するＡＴＭスイッチでは前記送り側装置によりＡＴＭセルのヘッダに付加された前記固有番号、前記現用番号、前記予備番号であるＶＣＩ番号により前記ＡＴＭセルをルーティグし、前記受け側装置に送信する工程を備えることを特徴とする、請求項６に記載のＡＴＭセル通信方法。
【請求項８】
さらに、前記受け側装置に接続されるＡＴＭバスがＵｔｏｐｉａ  ｌｅｖｅｌ２である場合、予め割り振られたＴＸＡＤＤＲの番号からＡＴＭセルの送信が前記受け側装置のうち現用側、予備側のいずれかへの送信であるかを照合する工程と備えることを特徴とする、請求項６に記載のＡＴＭセル通信方法。
【発明の詳細な説明】
【０００１】
【産業上の利用分野】
本発明は送り側装置から受け側装置にＡＴＭ（Ａｓｙｎｃｈｒｏｎｏｕｓ  Ｔｒａｎｓｆｅｒ  Ｍｏｄｅ：非同期転送モード）セルを通信するためのＡＴＭセル通信システムに関する。特に、本発明は、ＡＴＭセルが送られる受け側が現用装置、予備装置で構成される場合のＡＴＭセル通信システム及び方法に関する。
【０００２】
【従来の技術】
特開平１０−３２５９０号公報に記載されるように、上記ＡＴＭセル通信システムでは、ＶＣＩ（Ｖｉｒｔｕａｌ  Ｃｈａｎｎｅｌ  Ｉｄｅｎｔｉｆｉｅｒ：仮想チャンネル識別子）と呼ばれる論理的な回線識別子により、物理回線上に複数の論理的な通信路が設定される。
上記ＡＴＭセル通信システムにより特定のユーザーとユーザーの間で通信を行う場合には、ユーザー間に張られた物理回線上に論理的な回線を設定する必要がある。上記ＶＣＩの番号は、直接、相手ユーザーの方路を示す。
【０００３】
上記ＡＴＭセル通信システムでＡＴＭセルを送る場合には、相手先のＶＣＩの固有番号はＡＴＭセルのヘッダに付加されて発側から送信される。
上記のＡＴＭセルはＡＴＭスイッチを通過するときに、相手先のＶＣＩの固有番号に基き、予めＡＴＭスイッチに設定された行き先に送られる。
【０００４】
【発明が解決しょうとする課題】
ところで、上記ＡＴＭセル通信システムでは、送り側装置から受け側装置にＡＴＭセルが送られる場合に、受け側装置には、例えば、２つの装置が設けられ、一方が現在使用されている現用装置、他方が待機である予備装置で構成される場合がある。
【０００５】
この場合、ＡＴＭセルを送る送信側の装置では、受け側における２つの装置のうちどちらが現用装置であり、予備装置であるか識別することができない。
このため、送信側の装置は、受け側の現用装置にＡＴＭセルを送りたいとき、別の手段を用いて、現用装置を調べ、現用装置に該当する側のＶＣＩの固有番号をＡＴＭセルヘッダに付加して送信しなければならない。
【０００６】
しかしながら、送信側の装置は、受け側の現用装置を調べてから、現用装置にＡＴＭセルを送っても、場合によっては、正常に送れないという問題がある。
その理由は、受け側の現用装置、予備装置は予告無しに切り替わることがあるので、送信側の装置が受け側の現用装置を調べてからＡＴＭセルを送信しようとしたときに、すでに受け側が切り替わっている場合があるためである。
【０００７】
このとき、受け側の現用装置に送るべきＡＴＭセルが誤って待機している予備装置に送られてしまう危険性がある。
さらに、送信側の装置は、ＡＴＭセルを送るとき、必ず受け側の現用装置を確認しなければならず、処理が負担になるという問題がある。
したがって、本発明は上記問題点に鑑みて、ＡＴＭセルが受け側装置の現用装置に正確に送られ、且つ、送り側による確認処理の負担の軽減が可能であるＡＴＭセル通信システム及び方法を提供することを目的とする。
【０００８】
【課題を解決するための手段】
本発明は前記問題点を解決するために、現用側又は予備側の受け側装置を有し、ＡＴＭセルを受信するＡＴＭセル通信システムにおいて、ＡＴＭセルのヘッダに受け側装置の固有番号、現用番号又は予備番号を付加して受け側装置に送信する送り側装置と、複数の受け側装置の各々で固有番号が格納される固有番号格納部と、複数の前記受け側装置の１つを現用側の受け側装置と識別する現用番号が格納され、他の受け側装置に予備側の受け側装置と識別する予備番号が格納され、さらに、現用側の受け側装置の現用番号と予備側の受け側装置の予備番号が切り替え可能である現用・予備番号格納部と、前記送り側装置から送信されたＡＴＭセルのヘッダに付加される固有番号と前記固有番号格納部に格納されている固有番号を照合する固有番号照合部と、前記送り側装置から送信されたＡＴＭセルのヘッダに付加される現用番号、予備番号と前記現用・予備番号格納部に格納されている現用番号、予備番号を照合する現用・予備照合部と、前記固有番号照合部で照合された固有番号、前記現用・予備照合部で照合された現用番号、予備番号が格納される受け側装置でＡＴＭセルを取り込み、ＡＴＭセルの分割、取り込み処理を行うＳＡＲ処理部とを備えることを特徴とするＡＴＭセル通信システムを提供する。
【０００９】
この手段により、受け側装置は、現用側の受け側装置、予備側の受け側装置の２種類に切り替え可能であり、さらに、現用側の受け側装置でＡＴＭセルを取り込む場合、取り込まない場合、予備側の受け側装置でＡＴＭセルを取り込む場合、取り込まない場合の２種類があり、合わせて４種類の状態を取ることが可能になり、ＡＴＭセルが指定された受け側装置の現用側、又は予備側に正確に送られ、且つ、送り側装置による確認処理の負担の軽減が可能になる。
【００１０】
前記受け側装置と前記送り側装置の間にＡＴＭスイッチが設けられ、前記ＡＴＭスイッチでは前記送り側装置によりＡＴＭセルのヘッダに付加された前記固有番号、前記現用番号、前記予備番号であるＶＣＩ番号により前記ＡＴＭセルはルーティグされ、前記受け側装置に送信される。
この手段により、ＡＴＭスイッチでは前記受け側装置を識別するＶＣＩの固有番号を参照してルーティングが行われたＡＴＭセルに対して、現用側、予備側を識別するＶＣＩの番号が照合される。
【００１１】
さらに、前記ＳＡＲ処理部は、前記現用・予備照合部で照合された現用番号である場合、前記固有番号照合部で照合された固有番号の一致、不一致にかかわらず、該当する現用番号の受け側装置がＡＴＭセルを取り込む。
この手段により、予告なしで予備側の受け側装置から現用の受け側装置に切り替わってもＡＴＭセル取り込むことが可能になる。
【００１２】
さらに、前記ＳＡＲ処理部は、前記現用・予備照合部で照合された現用番号が格納される受け側装置、前記現用・予備照合部で照合された予備番号が格納される受け側装置の双方でＡＴＭセルを取り込む。
この手段により、現用側の受け側装置に送信しながら、予備側の受け側装置の試験を行う場合に有用となる。
さらに、前記現用・予備照合部は、前記受け側装置に接続されるＡＴＭバスがＵｔｏｐｉａ  ｌｅｖｅｌ２である場合、予め割り振られたＴＸＡＤＤＲの番号からＡＴＭセルの送信が前記受け側装置のうち現用側、予備側のいずれかへの送信であるかを照合する。
【００１３】
この手段により、ＴＸＡＤＤＲの番号が照合されるので、受け側装置の固有番号、現用側、予備側の識別が可能になる。
さらに、本発明は、現用側又は予備側の受け側装置を有し、ＡＴＭセルを受信するＡＴＭセル通信方法において、ＡＴＭセルのヘッダに受け側装置の固有番号、現用番号又は予備番号を付加して受け側装置に送信する工程と、複数の受け側装置の各々で固有番号を格納する工程と、複数の前記受け側装置の１つを現用側の受け側装置と識別する現用番号を格納し、他の受け側装置に予備側の受け側装置と識別する予備番号を格納する工程と、現用側の受け側装置の現用番号と予備側の受け側装置の予備番号を切り替える工程と、送信されたＡＴＭセルのヘッダに付加される固有番号と格納されている固有番号を照合する工程と、送信されたＡＴＭセルのヘッダに付加される現用番号、予備番号と格納されている現用番号、予備番号を照合する工程と、照合された固有番号、照合された現用番号、予備番号が格納される受け側装置でＡＴＭセルを取り込み、ＡＴＭセルの分割、取り込み処理を行う工程とを備えることを特徴とするＡＴＭセル通信方法を提供する。
【００１４】
この手段により、受け側装置は、現用側の受け側装置、予備側の受け側装置の２種類に切り替え可能であり、さらに、現用側の受け側装置でＡＴＭセルを取り込む場合、取り込まない場合、予備側の受け側装置でＡＴＭセルを取り込む場合、取り込まない場合の２種類があり、合わせて４種類の状態を取ることが可能になり、ＡＴＭセルが指定された受け側装置の現用側、又は予備側に正確に送られ、且つ、送り側装置による確認処理の負担の軽減が可能になる。
さらに、前記受け側装置と前記送り側装置の間に位置するＡＴＭスイッチでは前記送り側装置によりＡＴＭセルのヘッダに付加された前記固有番号、前記現用番号、前記予備番号であるＶＣＩ番号により前記ＡＴＭセルをルーティグし、前記受け側装置に送信する。
この手段により、ＡＴＭスイッチでは前記受け側装置を識別するＶＣＩの固有番号を参照してルーティングが行われたＡＴＭセルに対して、現用側、予備側を識別するＶＣＩの番号が照合される。
【００１５】
さらに、前記受け側装置に接続されるＡＴＭバスがＵｔｏｐｉａ  ｌｅｖｅｌ２である場合、予め割り振られたＴＸＡＤＤＲの番号からＡＴＭセルの送信が前記受け側装置のうち現用側、予備側のいずれかへの送信であるかを照合する。
この手段により、ＴＸＡＤＤＲの番号が照合されるので、受け側装置の固有番号、現用側、予備側の識別が可能になる。
【００１６】
【発明の実施の形態】
以下、本発明の実施の形態について図面を参照して説明する。
図１は本発明に係るＡＴＭセル通信システムの概略構成を示すブロック図である。本図に示すように、ＡＴＭセル通信システムには、送り側装置１が設けられ、送り側装置１は、ＡＴＭバス１０に接続され、ＡＴＭバス１０を経由して、ＡＴＭセルを送信する。
【００１７】
ＡＴＭバス１０にはＡＴＭスイッチ９が接続され、ＡＴＭスイッチ９は、さらに、ＡＴＭバス１１に接続され、ＡＴＭセルヘッダを見て、後述する受け側装置に関する固有のＶＣＩの番号で、ＡＴＭセルのルーティングを行う。
ＡＴＭバス１１には受け側装置２、受け側装置３が接続され、受け側装置２、受け側装置３は、任意に現用側から予備側に、予備側から現用側にそれぞれ切り替えられ、逆に、任意に予備側から現用側に、現用側から予備側にそれぞれ切り替えられる。
【００１８】
受け側装置２、受け側装置３には、固有番号格納部８、固有番号格納部１８が設けられ、固有番号格納部８、固有番号格納部１８は、受け側装置２、受け側装置３に関するＶＣＩの固有番号を格納する。
さらに、受け側装置２、受け側装置３には、ＶＣＩ照合回路７、ＶＣＩ照合回路１７がそれぞれ設けられ、ＶＣＩ照合回路７、ＶＣＩ照合回路１７は、受け側装置２、受け側装置３に入ってきたＡＴＭバス１１のＡＴＭセルヘッダを、受け側装置２、受け側装置３の固有番号格納部８、固有番号格納部１８に格納されるＶＣＩの固有番号とそれぞれ照合する。
【００１９】
さらに、受け側装置２、受け側装置３には、現用／予備情報格納部６、現用／予備情報格納部１６が設けられ、現用／予備情報格納部６、現用／予備情報格納部１６は、受け側装置２、受け側装置３が現用／予備のＶＣＩの番号であるかの情報が格納される。
さらに、受け側装置２、受け側装置３には、ＶＣＩ照合回路５、ＶＣＩ照合回路１５がそれぞれ設けられ、ＶＣＩ照合回路５、ＶＣＩ照合回路１５は、受け側装置２、受け側装置３に入ってきたＡＴＭバス１１のＡＴＭセルヘッダを、受け側装置２、受け側装置３の現用／予備情報格納部６、現用／予備情報格納部１６に格納される現用／予備のＶＣＩの番号とそれぞれ照合する。
【００２０】
さらに、受け側装置２、受け側装置３には、ＳＡＲ（Ｓｅｇｍｅｎｔａｔｉｏｎ  Ａｎｄ  Ｒｅａｓｓｅｍｂｌｙ：分割及び組立て）処理部４、ＳＡＲ処理部１４が設けられ、ＳＡＲ処理部４、ＳＡＲ処理部１４はＶＣＩ照合回路７及びＶＣＩ照合回路５、ＶＣＩ照合回路１７及びＶＣＩ照合回路１５の出力をそれぞれ入力し、ＡＴＭバス１１にそれぞれ接続される。
【００２１】
ＳＡＲ処理部４、ＳＡＲ処理部１４のうち、ＶＣＩ照合回路５、ＶＣＩ照合回路１５のいずれかの照合で一致した側が現用側の装置とされ、ＡＴＭセルを取り込み、ＡＴＭセルの分割、組立処理を行う。
なお、ＶＣＩ照合回路５（ＶＣＩ照合回路１５）の照合が一致すれば、ＶＣＩ照合回路７（ＶＣＩ照合回路１７）の照合が一致しても一致しなくても、ＳＡＲ処理部４（ＳＡＲ処理部１４）はＡＴＭセルを取り込む。
【００２２】
なお、ＡＴＭバス１０、ＡＴＭバス１１はＵｔｏｐｉａ（ＵｎｉｖｅｒｓａｌＴｅｓｔ＆Ｏｐｅｒａｔｉｏｎｓ  Ｉｎｔｅｒｆａｃｅ  ｆｏｒ  ＡＴＭ）バスで構成され、ＡＴＭバス１１は複数の装置が接続されているので、Ｕｔｏｐｉａ  ｌｅｖｅｌ１２となる。
また、送り側装置１は受け側装置２、受け側装置３にＡＴＭセルを送る場合、受け側装置２、受け側装置３が現用側、予備側の構成であることを知っている。
【００２３】
通常は、送り側装置１は受け側装置２、受け側装置３の現用側にＡＴＭセルを送る。なぜなら、現用側、予備側構成の装置は、通常、現用側のみがシステムに組み込まれており、予備側はシステムに組み込まれていないからである。
図２は図１のＡＴＭセル通信システムの動作例を説明する図である。本図に示すように、一例として、受け側装置２の固有番号格納部８にはＶＣＩ＝４０の固有番号が格納され、受け側装置３の固有番号格納部１８にはＶＣＩ＝４１の固有番号が格納される。
【００２４】
また、受け側装置２が現用装置の場合、受け側装置２の現用／予備情報格納部６には現用装置としてＶＣＩ＝５１の現用番号が格納され、受け側装置３が予備装置の場合、受け側装置３の現用／予備情報格納部１６には予備装置としてＶＣＩ＝５０の予備番号が格納される。
受け側装置２、受け側装置３の現用側、予備側が切り替わると、上記の受け側装置２が現用側から予備側に切り替わる場合、受け側装置２の現用／予備情報格納部６には予備装置としてＶＣＩ＝５０の予備番号が格納され、受け側装置３が予備側から予備側に切り替わる場合、受け側装置３の現用／予備情報格納部１６には現用装置としてＶＣＩ＝５１の現用番号が格納される。
【００２５】
すなわち、図２において、受け側装置２が現用側の装置の場合、受け側装置２の固有番号格納部８にはＶＣＩ＝４０、受け側装置２の現用／予備情報格納部６にはＶＣＩ＝５１が格納される。
受け側装置３が予備側の装置の場合、受け側装置３の固有番号格納部１８にはＶＣＩ＝４１、受け側装置３の現用／予備情報格納部１６にはＶＣＩ＝５０が格納される。
【００２６】
他方、受け側装置２が予備側の装置の場合、受け側装置２の固有番号格納部８にはＶＣＩ＝４０、受け側装置２の現用／予備情報格納部６にはＶＣＩ＝５０が格納される。
受け側装置３が現用側の装置の場合、受け側装置３の固有番号格納部１８にはＶＣＩ＝４１、受け側装置３の現用／予備情報格納部１６にはＶＣＩ＝５１が格納される。
【００２７】
送り側装置１は受け側装置２、受け側装置３のうち現用側を意識してＡＴＭセルを送る場合、ＶＣＩ＝４０又は４１、ＶＣＩ＝５１をＡＴＭセルヘッダに付加して送ればよい。
ＡＴＭスイッチ９では、ＶＣＩ＝４０又は４１により送り側装置１からのＡＴＭセルのルーティングが行われ、受け側装置２、受け側装置３では送り側装置１から送られてきたＶＣＩを照合して、ＶＣＩ＝５１が設定されている受け側装置２、受け側装置３のいずれかが現用側の装置としてＡＴＭセルを取り込む。
【００２８】
なお、以上では、受け側装置２、受け側装置３のうち現用側のみがシステムに組み込まれているとして説明が行われたが、受け側装置２、受け側装置３の双方がシステムに組み込まれるようにしてもよい。
この場合、送り側装置１で、ＶＣＩ＝５０とすれば、受け側装置２、受け側装置３のうち予備側がＡＴＭセルを取りこむことが可能である。受け側装置２、受け側装置３の現用側に送信しながら、予備側の試験を行う場合に有用である。
【００２９】
ＡＴＭバス１１はＵｔｏｐｉａ  ｌｅｖｅｌ１２であるので、ＴＸＡＤＤＲにて、受け側装置２、受け側装置３の現用側と、予備側とを識別することが可能である。この場合の例を以下に説明する。
図３は図１のＡＴＭセル通信システムの変形例を示す図である。本図に示すように、図１と比較して、受け側装置２、受け側装置３には、固有番号格納部８、固有番号格納部１８、現用／予備情報格納部６、現用／予備情報格納部１６に代わり、ＴＸＡＤＤＲ格納部８Ａ、ＴＸＡＤＤＲ格納部１８Ａ、ＴＸＡＤＤＲ格納部６Ａ、ＴＸＡＤＤＲ格納部１６Ａが設けられる。
【００３０】
さらに、受け側装置２、受け側装置３には、図１と比較して、ＶＣＩ照合回路７、ＶＣＩ照合回路１７、ＶＣＩ照合回路５、ＶＣＩ照合回路１５に代わり、ＴＸＡＤＤＲ照合回路７Ａ、ＴＸＡＤＤＲ照合回路１７Ａ、ＴＸＡＤＤＲ照合回路５Ａ、ＴＸＡＤＤＲ照合回路１５Ａが設けられる。
ＶＣＩ番号とＴＸＡＤＤＲとは１対１に対応するので、例えば、ＶＣＩ＝４０がＴＸＡＤＤＲ＝０、ＶＣＩ＝４１がＴＸＡＤＤＲ＝１、ＶＣＩ＝５０がＴＸＡＤＤＲ＝２、ＶＣＩ＝５１がＴＸＡＤＤＲ＝３となるように割り振りが行われる。
【００３１】
すなわち、受け側装置２が現用側の装置であり、受け側装置３が予備側の装置である場合には、ＴＸＡＤＤＲ格納部８Ａには、ＴＸＡＤＤＲ＝０が格納され、ＴＸＡＤＤＲ格納部１８ＡにはＴＸＡＤＤＲ＝１が格納され、ＴＸＡＤＤＲ格納部６ＡにはＴＸＡＤＤＲ＝３が格納され、ＴＸＡＤＤＲ格納部１６ＡにはＴＸＡＤＤＲ＝２が格納される。
【００３２】
なお、以上の説明では、受け側では現用装置に対して、予備装置を１つとしたが、予備装置が複数あってもよい。多重性を確保するためである。
【００３３】
【発明の効果】
以上説明したように、本発明によれば、受け側装置にはそれぞれＶＣＩの固有番号とともに、現用側、予備側を決定するＶＩＣの番号が設定されるので、送り側装置から受け側装置の現用側、予備側のいずれか一方にＡＴＭセルを送る場合に、受け側装置について、現用側か予備側かを調べる必要がなくなるので、送るときの処理が早くなる。
【００３４】
また、送り側装置がＡＴＭセルを送る直前に受け側装置の現用側、予備側が相互に切り替わっても、受け側装置の現用側、予備側に正確、確実にＡＴＭセルを送信することが可能になる。
【図面の簡単な説明】
【図１】本発明に係るＡＴＭセル通信システムの概略構成を示すブロック図である。
【図２】図１のＡＴＭセル通信システムの動作例を説明する図である。
【図３】図１のＡＴＭセル通信システムの変形例を示す図である。
【符号の説明】
１…送り側装置
２、３…受け側装置
４、１４…ＳＡＲ処理部
５、１５、７、１７…ＶＣＩ照合回路
６、１６…現用／予備情報格納部
８、１８…固有番号格納部
９…ＡＴＭスイッチ
１０、１１…ＡＴＭバス
５Ａ、１５Ａ、７Ａ、１７Ａ…ＴＸＡＤＤＲ照合回路
６Ａ、１６Ａ、８Ａ、１８Ａ…ＴＸＡＤＤＲ格納部
【図１】
0003662796.tif 000002
【図２】
0003662796.tif 000003
【図３】
0003662796.tif 000004